(57)【要約】【課題】  溶接用部品、特に、キャップチップと呼ばれる電極の取り外しに効果的なレンチとして、キャップチップの嵌合隙間にばらつきがあっても使用することができ、また、長年使用しても挿し込み部が変形することのないレンチを提供する。【解決手段】  先端に二股部５を有する挿し込み部２と、この挿し込み部２に支点部４を介して上下方向に角度を持って連設される柄部３を一体にした溶接用部品脱着用レンチ１を設け、挿し込み部２の横幅Ｈを、３柄部の横幅ｈより幅広にするとともに、この溶接用部品脱着用レンチ１を、クロムモリブデン鋼鋼材から一体に成形する。また、挿し込み部２の厚み（縦幅）と二股部５の内周部の厚み（縦幅）を、先端先細りのテーパ状にする。【選択図】        図２
0003213298.tif 000002
【実用新案登録請求の範囲】
【請求項１】
溶接用部品を脱着する際に使用される溶接用部品脱着用レンチであって、先端に二股部を有する挿し込み部と、この挿し込み部に支点部を介して連設される柄部を備え、前記挿し込み部と柄部とは、上下方向に角度を持って連設されるとともに、前記挿し込み部の横幅は、前記柄部の横幅より幅広にされることを特徴とする溶接用部品脱着用レンチ。
【請求項２】
前記挿し込み部の縦幅と、前記二股部の内周部の縦幅は、先端側が先細りのテーパ形状にされることを特徴とする請求項１に記載の溶接用部品脱着用レンチ。
【請求項３】
前記溶接用部品脱着用レンチは、クロムモリブデン鋼鋼材から一体に形成されていることを特徴とする請求項１又は請求項２に記載の溶接用部品脱着用レンチ。
【請求項４】
前記柄部は、前記溶接用部品等をたたくための金槌用としての用途に使用可能にされることを特徴とする請求項１乃至請求項３のいずれか1項に記載の溶接用部品脱着用レンチ。
【請求項５】
前記二股部の内周部の付け根部分は、アール形状であることを特徴とする請求項１乃至請求項４のいずれか1項に記載の溶接用部品脱着用レンチ。
【考案の詳細な説明】
【技術分野】
【０００１】
本考案は、例えばキャップチップと呼ばれる溶接用電極等を取り外すのに便利な溶接用部品脱着用レンチに関する。
【背景技術】
【０００２】
従来、例えばスポット溶接において、キャップチップと呼ばれる電極は定期的に新しいものに交換する必要があり、多数のスポット溶接機のチップを自動的に交換するような技術として、複数のチップを一列に並べた状態で収容しておき、これを一つずつ取り出すことができるようにするとともに、レンチ手段により磨耗したチップを自動的に取り外すような技術が知られている（例えば、特許文献１参照。）。
【０００３】
ところで、大規模な工場等で使用される溶接機等にあっては特許文献１のような専用の溶接チップ交換工具等が便利であるが、小規模の工場や溶接現場等にあっては、レンチ工具等の手工具を使用して手作業で交換しているのが実情である。この際、キャップチップのような電極は、通常、基台側のテーパ軸にキャップチップのテーパ穴を嵌合させて使用するのが一般的であり、またキャップチップのテーパ嵌合は、溶接の回数が増えるほど圧入方向に力が加わわって外れにくくなるため、レンチ工具としては、基台側とキャップチップの嵌合隙間に挿入することのできる挿し込み部と、この挿し込み部に支点部を介して角度を持って連設される柄部を備えたレンチを使用し、例えば、キャップチップを上方に押し上げて取り外すような場合、挿し込み部を嵌合隙間に挿し込んで柄部を下方に押し下げるよう回動させ、支点部を中心にして挿し込み部を上方に回動させることによりキャップチップを押し上げて取り外すような技術が知られている。
【０００４】
またこのようなレンチ工具には、通常、挿し込み部の先端中央部にテーパ軸を挟み込むための凹所が形成されて二股部が形成されているのが一般的であり、この二股部でテーパ軸を挟み込むことによりキャップチップ全体に均等な押し上げ力を加えることができるようにされている。
【先行技術文献】
【特許文献】
【０００５】
【特許文献１】特開２００５−４６８９７号公報。
【考案の概要】
【考案が解決しようとする課題】
【０００６】
ところで、上記のような手動のレンチ工具は、キャップチップの嵌合隙間にばらつきがあって挿し込み部による挿し込みがスムーズに行われないことがあり、また、キャップチップ取り外し作業を何回も使用していると、挿し込み部が変形したりして使い勝手があまりよくないという問題があった。
【０００７】
そこで、本考案は、キャップチップの嵌合隙間にばらつきがあってもスムーズに使用することができ、また、長年使用しても挿し込み部が変形したりしないレンチを提供することを目的とする。
【課題を解決するための手段】
【０００８】
上記目的を達成するため本考案は、溶接用部品を脱着する際に使用される溶接用部品脱着用レンチにおいて、先端に二股部を有する挿し込み部と、この挿し込み部に支点部を介して連設される柄部を設け、前記挿し込み部と柄部とは、上下方向に角度を持たせて連設するとともに、前記挿し込み部の横幅を、前記柄部の横幅より幅広にした。
【０００９】
そして、例えばキャップチップの取り外しに使用する際、挿し込み部をキャップチップの嵌合隙間に挿し込み、先端の二股部で嵌合軸を挟み込んだ状態にした後、柄部を下方に回動させれば、挿し込み部もそれに連れて上方に回動し、キャップチップの下面を押し上げて、キャップチップを楽に取り外すことができる。この際、挿し込み部の横幅が柄部の横幅より広いため、挿し込み部全体の剛性が増し、変形しにくくすることができる。
【００１０】
この際、前記挿し込み部の縦幅と、前記二股部の内周部の縦幅を、先端側が先細りのテーパ形状にすることで、嵌合隙間のばらつきがあっても、挿し込み部を楽に挿し込むことができる。
また、前記挿し込み部と柄部とをクロムモリブデン鋼鋼材から一体に形成すれば、挿し込み部の変形防止を一層効果的にすることができる。
なお、クロムモリブデン鋼鋼材としては、例えばクロム含有率０．９０〜１．２０％、モリブデン含有率０．１５〜０．３０％のＳＣＭ４４０が特に引っ張り強度、硬度等の点から好ましい。
【００１１】
また、本考案では、前記柄部を、前記溶接用部品等をたたくための金槌用としての用途に使用可能にしているが、このような構成により、溶接用部品等が取り外しにくいような状態でくっついている場合でも、くっつき状態を解消して楽に取り外せるようにすることができる。
【００１２】
また、前記二股部の内周部の付け根部分を、アール形状にすることにより、二股部の剛性が高まり、変形しにくくすることができる。これに対して、二股部の内周部の付け根部分を鋭角状にすると、溶接用部品を持ち上げて取り外す際に力が二股部の先端部に集中しがちで、二股部が変形しやすくなり、耐久性に劣り勝ちとなる。
【考案の効果】
【００１３】
溶接用部品脱着用レンチとして、先端に二股部を有する挿し込み部と、この挿し込み部に対して支点部を介して上下方向に角度を持って連設される柄部を設け、挿し込み部の横幅を、前記柄部の横幅より幅広にすることによって、挿し込み部の剛性等を高めて変形しにくくすることができる。また、挿し込み部の縦幅と、前記二股部の内周部の縦幅を、先端側が先細りのテーパ形状にすることで、嵌合隙間のばらつきがあっても、挿し込み部を楽に挿し込むことができ、また、挿し込み部と柄部とをクロムモリブデン鋼鋼材から一体に形成すれば、挿し込み部の変形防止を一層効果的にすることができる。
【図面の簡単な説明】
【００１４】
【図１】本考案に係る溶接用部品脱着用レンチの説明図で、（ａ）は平面図、（ｂ）は側面図、（ｃ）は挿し込み部の正面側から見た正面図である。
【図２】本考案に係る溶接用部品脱着用レンチの使用例を示す説明図である。
【考案を実施するための形態】
【００１５】
本考案に係る溶接用部品脱着用レンチは、特に、キャップチップの取り外しに効果的なレンチとして構成され、キャップチップの嵌合隙間にばらつきがあっても使用することができ、また、長年使用しても挿し込み部が変形することのないレンチを提供することを目的とし、その素材と形状に特徴を有している。
【００１６】
すなわち、本溶接用部品脱着用レンチ１は、図１に示すように、長尺状のレンチとして構成され、挿し込み部２と柄部３とが支点部４を介して連設されている。
【００１７】
そして、挿し込み部２と柄部３とは、上下方向に角度αを持って連設されており、本実施例では角度αとして７度程度としている。また、挿し込み部２の先端側には、凹所を挟んで二股部５が形成されており、この二股部５で溶接装置に使用されているナットやボルト等を挟み込むことができるようにされている。なお、二股部５の開口部の横幅は１３．４ｍｍ程度である。
【００１８】
また、挿し込み部２の横幅Ｈは、柄部３の横幅ｈより幅広にされており、本実施例では、挿し込み部２の横幅Ｈを３２ｍｍ程度、柄部３の横幅ｈを２５ｍｍ程度としている。
【００１９】
また、柄部の厚み（縦幅）ａは長さ方向に沿ってすべて６ｍｍ程度であるが、挿し込み部２の厚み（縦幅）は、支点部４側で６ｍｍ程度であり、最先端部が４ｍｍ程度とテーパ状に先細り形状にされている。
また、二股部５の内周部ｎの厚み（縦幅）も、開口部の一番奥の位置から先端に向けて先細りとなるテーパ状に加工されており、最先端で２ｍｍ程度とされている。
【００２０】
なお、二股部５の内周部ｎの付け根部分をアール形状にしている。これは、内周部ｎの付け根部分を鋭角状にすると、二股部５に力が加わったとき、力が二股部の先端部に集中しがちで、二股部が変形しやすく、耐久性が低下するからである。
【００２１】
因みに、長手方向に沿った長さは、挿し込み部２の長さが６５ｍｍ程度、柄部３の長さが１８５ｍｍ程度であり、全長が２５０ｍｍ程度である。
【００２２】
そして、このようなレンチ１の素材は、クロムモリブデン鋼鋼材から一体に形成されており、本実施例では、ＳＣＭ４４０としている。
このＳＣＭ４４０の機械的特性は、引っ張り強さ９８０Ｎ／ｍｍ２、硬度２８５〜３５２ＨＢＷであり、各種クロムモリブデン鋼のうちでも比較的硬めの鋼種である。
【００２３】
以上のように構成した溶接用部品脱着用レンチは、例えば、図２に示すようなキャップチップＴと呼ばれる電極を取り外すのに便利であり、必要に応じて、キャップチップＴを柄部３でたたいて、キャップチップＴとテーパ軸Ｊのくっつき状態を解消した後、キャップチップＴの嵌合隙間に挿し込み部２を挿し込み、二股部５でテーパ軸Ｊを挟み込むとともに、柄部３を矢印方向に回動させることにより、キャップチップＴを押し上げて取り外す。この際、本レンチ１では挿し込み部２の剛性が増して長年使用しても変形等を生じにくく、耐久性を向上させることができる。また、操作しやすく、力も要さない。
また、挿し込み部２が先端先細りのテーパ形状をしているため、嵌合隙間にばらつきがあっても楽に挿し込んで作業することができる。
【００２４】
なお、本考案は上記のような実施形態に限定されるものではない。本考案の実用新案登録請求の範囲に記載した事項と実質的に同一の構成を有し、同一の作用効果を奏するものは本考案の技術的範囲に属する。例えば、上記で示したレンチ１の具体的寸法等は例示である。
【産業上の利用可能性】
【００２５】
キャップチップと呼ばれる溶接用電極等を取り外したり、溶接装置のナットやボルトを脱着する工具として耐久性が高く且つ便利なため、溶接業界等における広い分野での普及が期待される。
【符号の説明】
【００２６】
１…溶接用部品脱着用レンチ、２…挿し込み部、３…柄部、４…支点部、５…二股部。
【図１】
0003213298.tif 000003
【図２】
0003213298.tif 000004
【手続補正書】
【提出日】平成29年9月7日(2017.9.7)
【手続補正１】
【補正対象書類名】実用新案登録請求の範囲
【補正対象項目名】全文
【補正方法】変更
【補正の内容】
【実用新案登録請求の範囲】
【請求項１】
溶接用部品を脱着する際に使用される溶接用部品脱着用レンチであって、先端に二股部を有する挿し込み部と、この挿し込み部に支点部を介して連設される柄部を備え、前記挿し込み部と柄部とは、上下方向に角度を持って連設されるとともに、前記挿し込み部の横幅は、前記柄部の横幅より幅広にされることを特徴とする溶接用部品脱着用レンチ。
【請求項２】
前記挿し込み部の縦幅と、前記二股部の内周部の縦幅は、先端側が先細りのテーパ形状にされることを特徴とする請求項１に記載の溶接用部品脱着用レンチ。
【請求項３】
前記溶接用部品脱着用レンチは、クロムモリブデン鋼鋼材から一体に形成されていることを特徴とする請求項１又は請求項２に記載の溶接用部品脱着用レンチ。
【請求項４】
前記柄部は、前記溶接用部品をたたくための金槌用としての用途に使用可能にされることを特徴とする請求項１乃至請求項３のいずれか1項に記載の溶接用部品脱着用レンチ。
【請求項５】
前記二股部の内周部の付け根部分は、アール形状であることを特徴とする請求項１乃至請求項４のいずれか1項に記載の溶接用部品脱着用レンチ。